(57)【要約】【課題】能力を全負荷運転と制御負荷運転に可変可能とし、３相電動機を搭載した多気筒型密閉形圧縮機において、全負荷運転時と制御運転時でモータへの負荷トルクが異なることから、全負荷運転時と制御運転時で電流値に差が生じ、圧縮機内部の過大温度上昇の防止が困難であった。【解決手段】３相電動機の中接点部分に電流と温度に応動して連続的に開閉動作を行う第１の継電器と他の２相に温度に応動して連続的に開閉動作を行う第２及び第３の継電器を設置することにより、全負荷運転時には第１の継電器、制御運転時には第２及び第３の継電器を動作させ、過大温度上昇を防止する。【選択図】図１
2007309186.tif 000002
【特許請求の範囲】
【請求項１】
密閉ケース内に、３相電動機部及びこの３相電動機部と連結される圧縮機構部を収容し、前記圧縮機構部は能力を全負荷運転と制御負荷運転の２段階に可変とした多気筒型密閉形圧縮機であって、前記３相電動機の中接点部分に設置し温度及び電流に応じて開閉動作を行う第１の継電器と、３相の巻線の内２相にそれぞれ接続され、温度に応じて開閉動作を行う第２及び第３の継電器を具備する密閉型圧縮機。
【請求項２】
第２及び第３の継電器は電動機巻線に接して配置する請求項１記載の密閉型圧縮機。
【請求項３】
第２及び第３の継電器は吐出ガス雰囲気または吐出ガス雰囲気部品に接して配置する請求項１記載の密閉型圧縮機。
【請求項４】
塩素を含まないＨＣＦＣやＨＦＣ等を冷媒とした請求項１記載の密閉型圧縮機。
【請求項５】
二酸化炭素やアンモニア等の自然冷媒を冷媒とした請求項１記載の密閉型圧縮機。
【発明の詳細な説明】
【技術分野】
【０００１】
本発明は、シリンダ室を２室備え、２室同時に圧縮作用を行う運転と、いずれか一方のシリンダ室での圧縮作用を中断して圧縮仕事を低減する運転とを選択可能とした、いわゆる能力可変をなすことができる密閉形圧縮機であって、過大温度上昇を防止する保護装置を有するものに関する。
【背景技術】
【０００２】
一般的な密閉形圧縮機の構成は、密閉ケース内に電動機部およびこの電動機部と連結される圧縮機構部を収容しており、圧縮機構部で圧縮したガスを一旦密閉ケース内に吐出するケース内高圧形となっている。圧縮機構部は、シリンダに設けられるシリンダ室にピストンが収容される。また、シリンダにはベーン室が設けられていて、ここにベーンが摺動自在に収納される。ベーンの先端縁は、シリンダ室側へ突出してピストンの周面に弾性的に当接するよう圧縮ばねによって押圧付勢される。
【０００３】
したがってシリンダ室はベーンによってピストンの回転方向に沿い二室に区分される。一室側に吸込み部が連通され、他室側に吐出部が連通される。吸込み部には吸込み管が接続され、吐出部は密閉ケース内に開口される。
【０００４】
ところで、シリンダを上下に２セット備えた、２シリンダタイプのロータリ式密閉形圧縮機が一般的に使用されており、このような圧縮機において常時圧縮作用をなすシリンダと、必要に応じて圧縮−停止の切換えを可能としたシリンダを備えることができれば、使用能力範囲が拡大されて有利となる。
【０００５】
たとえば、特許文献１には、シリンダ室を２室備え、必要に応じていずれか一方のシリンダ室のベーンをローラから強制的に離間保持するとともに、そのシリンダ室を高圧化して圧縮作用を中断させる高圧導入手段を備えたことを特徴とする技術が開示されている。
【０００６】
従来、圧縮機の過大温度上昇を防止する保護装置は図２に示すように温度及び電流に応動して連続的に開閉動作を行う継電器を圧縮機内部の３相電動機の中接点部分に設置していた。
【特許文献１】特開平１−２４７７８６号公報
【発明の開示】
【発明が解決しようとする課題】
【０００７】
しかしながら、上記従来の過大温度上昇保護装置では、全負荷運転時には継電器が動作するが、制御負荷運転時には電動機への負荷トルクが減少するため圧縮機電動機部の電流が減少し、圧縮機内部の温度が上昇しても継電器がオフしないことがあった。
【０００８】
本発明は上記事情に基づきなされたものであり、制御負荷運転時でも圧縮機内部の過大温度上昇を防止し、信頼性の向上を図れるロータリ式密閉形圧縮機を提供しようとするものである。
【課題を解決するための手段】
【０００９】
上記目的を満足するため、本発明は３相電動機の中接点部分に設置し温度及び電流に応じて開閉動作を行う第１の継電器と、電動機３相巻線の２相にそれぞれ接続され、温度に応じて開閉動作を行う第２及び第３の継電器を設置するものである。
【発明の効果】
【００１０】
本発明の密閉型圧縮機は全負荷運転時及び制御負荷時に圧縮機の過大温度上昇を防止することが出来、圧縮機の安全性及び信頼性の向上を図れる密閉形圧縮機を提供することができる。
【発明を実施するための最良の形態】
【００１１】
第１の発明は、温度及び電流に応動する継電器１を３相電動機中接点部分に設置し、温度に応じて開閉動作を行う第１の継電器と、３相の巻線の内２相にそれぞれ接続されて、温度に応じて開閉動作を行う継電器２及び継電器３を設置することにより、全負荷運転時には継電器１が作動し、制御負荷時には継電器２及び継電器３が作動して圧縮機の過大温度上昇を防止することが出来る。
【００１２】
第２の発明は、第２の継電器及び第３の継電器をモータに接して配置することにより、モータ温度への即応性を向上させることが出来る。
【００１３】
以下、本発明の実施の形態について、図面を参照しながら説明する。なお、以下に記載する実施の形態により本発明が限定されるものではない。
【００１４】
（実施の形態１）
図２は、従来における圧縮機保護装置の結線図である。圧縮機９の全負荷運転時において運転されている場合、圧縮機内部温度上昇を、継電器１をオフすることにより防止することが出来る。
【００１５】
しかしながら、能力を全負荷運転と制御負荷運転に可変可能とした多気筒型密閉形圧縮機の圧縮機９の制御負荷運転時においては、負荷トルクが小さいためモータの電流値が低くなり、圧縮機内部温度上昇を防止することが出来ないという欠点がある。
【００１６】
図１は本発明における圧縮機保護装置の結線図である。同図において１は圧縮機９の内部で温度及び電流に応動する第１の継電器、５は温度に応動する第２の継電器、６は温度に応動する第３の継電器である。
【００１７】
全負荷運転時では運転中冷凍サイクルの負荷が増大すると、圧縮機９内部温度は上昇する。この場合には、電流値と温度により第１の継電器５がオフし過大温度上昇を抑制する。制御負荷時には電流値が小さいため第１の継電器１は反応せず、温度上昇のみに反応する第２の継電器３及び第３の継電器４がオフし過大温度上昇を抑制する。
【産業上の利用可能性】
【００１８】
以上のように、本発明における圧縮機保護装置は、能力を全負荷運転と制御負荷運転に可変可能とした多気筒型密閉形圧縮機において過大温度上昇を防止することが出来、圧縮機の安全性及び信頼性を高めることが出来る。
【図面の簡単な説明】
【００１９】
【図１】本発明の実施の形態を示す結線図
【図２】従来の圧縮機を示す結線図
【符号の説明】
【００２０】
１  第１の継電器
２  バイメタル
３  第２の継電器
４  第３の継電器
５  巻線Ｕ相
６  巻線Ｖ相
７  巻線Ｗ相
８  電源
９  密閉型圧縮機
【図１】
2007309186.tif 000003
【図２】
2007309186.tif 000004